(57)【要約】【課題】半導体装置と実装基板との熱膨張係数の相違により生じる熱応力を半導体装置内で均一に分散させることにより、熱ストレスが加わった際の信頼性を向上させることが可能な半導体装置および半導体装置の製造方法を提供する。【解決手段】半導体装置２０は、半導体素子２１と、半導体素子２１が載置された半導体素子用めっき部１５と、半導体素子用めっき部１５の周囲に、半導体素子用めっき部１５と同一平面上に配置された複数のリード用めっき部１６と、リード用めっき部１６と半導体素子２１とを電気的に接続するボンディングワイヤ２２とを備えている。半導体素子用めっき部１５、リード用めっき部１６、半導体素子２１およびボンディングワイヤ２２は、封止樹脂部２３により封止されている。各リード用めっき部１６は、半導体素子用めっき部１５の周囲において平面から見て１つの円周Ｃ１上に配置されている。【選択図】図１
2015092635.tif 000002
【特許請求の範囲】
【請求項１】
半導体装置において、
半導体素子と、
半導体素子が載置された半導体素子用めっき部と、
半導体素子用めっき部の周囲に、半導体素子用めっき部と同一平面上に配置された複数のリード用めっき部と、
リード用めっき部と半導体素子とを電気的に接続する導電部と、
半導体素子用めっき部、リード用めっき部、半導体素子および導電部を封止する封止樹脂部とを備え、
各リード用めっき部は、半導体素子用めっき部の周囲において平面から見て少なくとも１つの円周上に配置されていることを特徴とする半導体装置。
【請求項２】
各リード用めっき部は、平面から見て複数の円周のうちいずれかの円周上に配置されていることを特徴とする請求項１記載の半導体装置。
【請求項３】
封止樹脂部は、直方体形状を有していることを特徴とする請求項１または２記載の半導体装置。
【請求項４】
封止樹脂部は、円柱形状を有していることを特徴とする請求項１または２記載の半導体装置。
【請求項５】
封止樹脂部の断面形状は、台形形状を有していることを特徴とする請求項１または２記載の半導体装置。
【請求項６】
封止樹脂部の角部に、各リード用めっき部より面積が広く、かつ半導体素子用めっき部側に向けて徐々に先細となる外部端子が配置されていることを特徴とする請求項１乃至５のいずれか一項記載の半導体装置。
【請求項７】
外部端子は、封止樹脂部の角部側から各リード用めっき部が配置された円周上まで延びていることを特徴とする請求項６記載の半導体装置。
【請求項８】
封止樹脂部は、半導体素子および半導体素子周囲に設けられた中央領域と、中央領域周縁に位置する周縁領域とを有し、中央領域の厚みは、周縁領域の厚みより厚いことを特徴とする請求項１乃至７のいずれか一項記載の半導体装置。
【請求項９】
封止樹脂部の中央領域は、截頭円錐形状からなることを特徴とする請求項８記載の半導体装置。
【請求項１０】
少なくとも１つのリード用めっき部の上面に、他の半導体装置の裏面に接続可能な外部突出端子が形成されていることを特徴とする請求項１乃至９のいずれか一項記載の半導体装置。
【請求項１１】
半導体装置の製造方法において、
基板を準備する工程と、
基板にめっきを施すことにより、基板上に、半導体素子用めっき部と、半導体素子用めっき部周囲に配置され、平面から見て少なくとも１つの円周上に配置されるリード用めっき部とを形成する工程と、
基板上の半導体素子用めっき部に、半導体素子を載置する工程と、
半導体素子と基板上のリード用めっき部とを、導電部により接続する工程と、
半導体素子用めっき部、リード用めっき部、半導体素子、および導電部を封止樹脂部により封止する工程と、
基板を封止樹脂部から除去する工程とを備えたことを特徴とする半導体装置の製造方法。
【発明の詳細な説明】
【技術分野】
【０００１】
本発明は、半導体装置および半導体装置の製造方法に関する。
【背景技術】
【０００２】
近年、半導体装置は、高集積化や小型化技術の進歩、電子機器の高性能化と軽薄短小化の傾向から、ＬＳＩのＡＳＩＣに代表されるように、ますます高集積化、高機能化が進んできている。このように高集積化、高機能化された半導体装置においては、外部端子（ピン）の総和の増加や更なる多端子（ピン）化が要請されている。
【０００３】
このような半導体装置としては、リードフレームにＩＣチップ、ＬＳＩチップなどの半導体チップが搭載され、絶縁性樹脂で封止された構造をもつ半導体パッケージがある。このような半導体装置としては、ＱＦＮ（Quad Flat Non-leaded package）やＳＯＮ（Small Outline Non-leaded Package）などの薄型で実装面積の小さいタイプのものが知られている。また半田ボールをパッケージの外部端子として備えた表面実装型パッケージであるＢＧＡ（Ball Grid Array）と呼ばれる樹脂封止型の半導体装置が量産されている。さらに、ＢＧＡの半田ボールに代えてマトリックス状の平面電極からなる外部端子が設けられた表面実装型パッケージとして、ＬＧＡ（Land Grid Array）と呼ばれる半導体装置が存在する。
【０００４】
特許文献１には、リードフレーム外形を円形状にすると共にリードを中央部の半導体素子用めっき部から放射状に拡げた半導体集積回路装置が開示されている。この特許文献１によれば、ガルウイングリードパッケージとしては高い実装信頼性を得られるが、近年求められているパッケージの薄型化や小型化に対応できていない。
【先行技術文献】
【特許文献】
【０００５】
【特許文献１】特開平８−２２７９６４号公報
【発明の概要】
【発明が解決しようとする課題】
【０００６】
また近年、小型の半導体装置（ＱＦＮ、ＳＯＮ、ＬＧＡ等）において、とりわけ半導体装置に熱ストレスが加わった際の実装信頼性の向上や、パッケージ自体の薄型化が求められている。
【０００７】
ところで一般に、半導体装置の熱膨張係数と実装基板の熱膨張係数とは異なっている。
したがって、例えば製造時に熱が加えられたり、または自動車等の高温環境下で使用されたときに、半導体装置に対して熱ストレスが加わる。この場合、半導体装置の熱膨張係数と実装基板の熱膨張係数との相違により熱応力が生じ、この熱応力が特定の箇所に集中すると、その箇所から半導体装置が破損してしまうおそれがある。
【０００８】
例えばめっき端子を有するＬＧＡパッケージは、特許文献１に示すガルウイング端子をもつＱＦＰパッケージと比べた場合、基板実装時の熱歪みを吸収する量が少ないため、実装信頼性が低くなってしまう。このためめっき端子を有するＬＧＡパッケージにおいては、基板実装時の熱歪みにより、特にパッケージのコーナー部の外部端子に熱応力が集中しやすく、このことが実装信頼性を低下させる原因となっている。
【０００９】
本発明はこのような点を考慮してなされたものであり、半導体装置と実装基板との熱膨張係数の相違により生じる熱応力を半導体装置内で均一に分散させることにより、熱ストレスが加わった際の信頼性を向上させることが可能な半導体装置および半導体装置の製造方法を提供することを目的とする。
【課題を解決するための手段】
【００１０】
本発明は、半導体装置において、半導体素子と、半導体素子が載置された半導体素子用めっき部と、半導体素子用めっき部の周囲に、半導体素子用めっき部と同一平面上に配置された複数のリード用めっき部と、リード用めっき部と半導体素子とを電気的に接続する導電部と、半導体素子用めっき部、リード用めっき部、半導体素子および導電部を封止する封止樹脂部とを備え、各リード用めっき部は、半導体素子用めっき部の周囲において平面から見て少なくとも１つの円周上に配置されていることを特徴とする半導体装置である。
【００１１】
本発明は、各リード用めっき部は、平面から見て複数の円周のうちいずれかの円周上に配置されていることを特徴とする半導体装置である。
【００１２】
本発明は、封止樹脂部は、直方体形状を有していることを特徴とする半導体装置である。
【００１３】
本発明は、封止樹脂部は、円柱形状を有していることを特徴とする半導体装置である。
【００１４】
本発明は、封止樹脂部の断面形状は、台形形状を有していることを特徴とする半導体装置である。
【００１５】
本発明は、封止樹脂部の角部に、各リード用めっき部より面積が広く、かつ半導体素子用めっき部側に向けて徐々に先細となる外部端子が配置されていることを特徴とする半導体装置である。
【００１６】
本発明は、外部端子は、封止樹脂部の角部側から各リード用めっき部が配置された円周上まで延びていることを特徴とする半導体装置である。
【００１７】
本発明は、封止樹脂部は、半導体素子および半導体素子周囲に設けられた中央領域と、中央領域周縁に位置する周縁領域とを有し、中央領域の厚みは、周縁領域の厚みより厚いことを特徴とする半導体装置である。
【００１８】
本発明は、封止樹脂部の中央領域は、截頭円錐形状からなることを特徴とする半導体装置である。
【００１９】
本発明は、少なくとも１つのリード用めっき部の上面に、他の半導体装置の裏面に接続可能な外部突出端子が形成されていることを特徴とする半導体装置である。
【００２０】
本発明は、半導体装置の製造方法において、基板を準備する工程と、基板にめっきを施すことにより、基板上に、半導体素子用めっき部と、半導体素子用めっき部周囲に配置され、平面から見て少なくとも１つの円周上に配置されるリード用めっき部とを形成する工程と、基板上の半導体素子用めっき部に、半導体素子を載置する工程と、半導体素子と基板上のリード用めっき部とを、導電部により接続する工程と、半導体素子用めっき部、リード用めっき部、半導体素子、および導電部を封止樹脂部により封止する工程と、基板を封止樹脂部から除去する工程とを備えたことを特徴とする半導体装置の製造方法である。
【発明の効果】
【００２１】
本発明によれば、各リード用めっき部は、半導体素子用めっき部の周囲において平面から見て少なくとも１つの円周上に配置されている。このことにより、半導体装置と実装基板との熱膨張の相違により生じる熱応力は、各外部端子に設けられたはんだ部に対して均等に加わり、特定のはんだ部が破損することを防止することができる。この結果、半導体装置を実装する際、あるいは半導体装置を実装した後、半導体装置に熱が加わった場合における、半導体装置の信頼性を向上させることができる。
【図面の簡単な説明】
【００２２】
【図１】本発明の一実施の形態による半導体装置を示す斜視図。
【図２】本発明の一実施の形態による半導体装置を示す断面図（図１のII−II線断面図）。
【図３】本発明の一実施の形態による半導体装置を示す平面図。
【図４】本発明の一実施の形態による半導体装置を示す裏面（底面）図。
【図５】半導体装置の製造方法を示す断面図。
【図６】半導体装置の製造方法を示す断面図。
【図７】本発明の一実施の形態による半導体装置が実装基板上に実装されている状態を示す断面図。
【図８】本発明の変形例（変形例１）による半導体装置を示す平面図。
【図９】本発明の変形例（変形例１）による半導体装置を示す裏面（底面）図。
【図１０】本発明の変形例（変形例２）による半導体装置を示す平面図。
【図１１】本発明の変形例（変形例２）による半導体装置を示す裏面（底面）図。
【図１２】本発明の変形例（変形例３）による半導体装置を示す断面図。
【図１３】本発明の変形例（変形例３）による半導体装置を示す平面図。
【図１４】本発明の変形例（変形例３）による半導体装置を示す裏面（底面）図。
【図１５】本発明の変形例（変形例４）による半導体装置を示す平面図。
【図１６】本発明の変形例（変形例４）による半導体装置を示す裏面（底面）図。
【図１７】本発明の変形例（変形例５）による半導体装置を示す平面図。
【図１８】本発明の変形例（変形例５）による半導体装置を示す裏面（底面）図。
【図１９】本発明の変形例（変形例６）による半導体装置を示す断面図。
【図２０】本発明の変形例（変形例６）による半導体装置を示す平面図。
【図２１】本発明の変形例（変形例６）による半導体装置を示す裏面（底面）図。
【図２２】本発明の変形例（変形例７）による半導体装置を示す平面図。
【図２３】本発明の変形例（変形例７）による半導体装置を示す裏面（底面）図。
【図２４】本発明の変形例（変形例８）による半導体装置を示す平面図。
【図２５】本発明の変形例（変形例８）による半導体装置を示す裏面（底面）図。
【図２６】本発明の変形例（変形例９）による半導体装置を示す平面図。
【図２７】本発明の変形例（変形例９）による半導体装置を示す裏面（底面）図。
【図２８】本発明の変形例（変形例１０）による半導体装置を示す断面図。
【図２９】本発明の変形例（変形例１１）による半導体装置を示す断面図。
【図３０】本発明の変形例（変形例１２）による半導体装置を示す断面図。
【図３１】本発明の変形例（変形例１３）による半導体装置を示す断面図。
【図３２】本発明の変形例（変形例１４）による半導体装置を示す平面図。
【図３３】本発明の変形例（変形例１４）による半導体装置を示す裏面（底面）図。
【図３４】本発明の変形例（変形例１５）による半導体装置を示す平面図。
【図３５】本発明の変形例（変形例１５）による半導体装置を示す裏面（底面）図。
【図３６】本発明の変形例（変形例１６）による半導体装置を示す平面図。
【図３７】本発明の変形例（変形例１６）による半導体装置を示す裏面（底面）図。
【図３８】本発明の変形例（変形例１７）による半導体装置を示す平面図。
【図３９】本発明の変形例（変形例１７）による半導体装置を示す断面図。
【発明を実施するための形態】
【００２３】
以下、本発明の一実施の形態について、図１乃至図７を参照して説明する。
【００２４】
半導体装置の構成
まず、図１乃至図４により、本発明の一実施の形態による半導体装置の構成について説明する。図１乃至図４は、本発明の一実施の形態による半導体装置を示す図である。
【００２５】
図１乃至図４に示すように、半導体装置２０は、半導体素子用めっき部１５と、半導体素子用めっき部１５の周囲に、半導体素子用めっき部１５と同一平面上に配置された複数のリード用めっき部１６とを備えている。
【００２６】
半導体素子用めっき部１５上には、半導体素子２１が載置されている。各リード用めっき部１６と、半導体素子２１の各端子部２１ａとは、それぞれボンディングワイヤ（導電部）２２によって電気的に接続されている。
【００２７】
また、半導体素子用めっき部１５、リード用めっき部１６、半導体素子２１、およびボンディングワイヤ２２は、封止樹脂部２３によって樹脂封止されている。
【００２８】
半導体素子用めっき部１５およびリード用めっき部１６は、それぞれめっきにより形成された金属材料からなっている。半導体素子用めっき部１５およびリード用めっき部１６は、それぞれ１種の金属からなる単層構造、あるいは２種以上の金属からなる多層構造とすることができる。
【００２９】
半導体素子用めっき部１５およびリード用めっき部１６が単層構造からなる場合、半導体素子用めっき部１５およびリード用めっき部１６を構成する金属としては、例えばＣｕ、Ｎｉ、Ａｇ、Ｐｄ、Ａｕ、Ｓｎを挙げることができる。
【００３０】
一方、半導体素子用めっき部１５およびリード用めっき部１６が多層構造からなる場合、半導体素子用めっき部１５およびリード用めっき部１６は、裏面側（図２の下方）から順に、Ａｕ、Ｎｉ、Ａｕを積層した構造からなる（以下、このような層構成をＡｕ／Ｎｉ／Ａｕともいう）。しかしながら、多層構造を構成するめっき層の構成はこれに限らず、例えばＰｄ／Ｎｉ／Ｐｄ、Ａｕ／Ｎｉ／Ｐｄ、Ａｕ／Ｐｄ／Ｎｉ／Ｐｄ／Ａｕ、Ａｇ／Ｎｉ／Ａｇ、Ａｇ／Ｎｉ／Ｓｎ、Ａｕ／Ｎｉ／Ｓｎ、Ａｇ／Ｃｕ／Ａｇ、Ａｕ／Ｃｕ／Ａｇ、Ａｇ／Ｃｕ／Ｎｉ、Ａｕ／Ｃｕ／Ｎｉという構成であってもよい。
【００３１】
半導体素子用めっき部１５の形状は特段に限定されるものではないが、好ましい態様として、円形状（円盤状）となっていることが好ましい。半導体装置２１に熱が加わった際、半導体装置２１と実装基板１５との熱膨張係数の相違による熱応力は、周方向均一に分散するからである。この場合、半導体素子用めっき部１５は、表面側から見て円形状となるとともに（図３）、裏面側から見ても円形状となっている（図４）。また、図２に示すように、半導体素子用めっき部１５の裏面１５ｂは、封止樹脂部２３の裏面と同一平面上に位置している。一方、半導体素子用めっき部１５の表面１５ａは、半導体素子２１の載置面となっており、封止樹脂部２３内に完全に覆われている。
【００３２】
各リード用めっき部１６は、ボンディングワイヤ２２が接続される内部端子１７と、裏面外方へ露出する外部端子１８とを有している。内部端子１７は、リード用めっき部１６の表面側に形成されており、外部端子１８は、リード用めっき部１６の裏面側に形成されている。
【００３３】
また、各リード用めっき部１６の外部端子１８は、封止樹脂部２３の裏面と同一平面上に位置している。また、隣接するリード用めっき部１６同士は互いに電気的に絶縁されている。
【００３４】
図３および図４に示すように、各リード用めっき部１６の内部端子１７および外部端子１８は、それぞれ平面長方形形状を有している。このほか、内部端子１７および外部端子１８の形状としては、多角形、台形、円形（後述する図２６および図２７参照）、楕円形等であってもよい。
【００３５】
本実施の形態において、各リード用めっき部１６は、平面から見て同一の円周上に配置されている。
【００３６】
すなわち図３および図４に示すように、各リード用めっき部１６は、半導体素子用めっき部１５の周囲において１つの円周Ｃ１上に配置されている。この場合、表面側において、各内部端子１７は円周Ｃ１上に配置されており、裏面側において、各外部端子１８は円周Ｃ１上に配置されている。なお、各リード用めっき部１６が円周上に配置されているとは、各リード用めっき部１６の中心が円周上に配置されていることをいう。
【００３７】
また、半導体素子２１としては、従来一般に用いられている各種半導体素子を使用することが可能であり、特に限定されないが、例えば集積回路、大規模集積回路、トランジスタ、サイリスタ、ダイオード等を用いることができる。この半導体素子２１は、各々ボンディングワイヤ２２が取り付けられる複数の端子部２１ａを有している。また、半導体素子２１は、例えばダイボンディングペーストにより、半導体素子用めっき部１５の表面１５ａに固定されている。
【００３８】
各ボンディングワイヤ２２は、例えば金等の導電性の良い材料からなり、それぞれその一端が半導体素子２１の端子部２１ａに接続されるとともに、その他端がリード用めっき部１６の内部端子１７に接続されている。
【００３９】
本実施の形態において、封止樹脂部２３は直方体形状を有している。封止樹脂部２３としては、シリコーン樹脂やエポキシ樹脂等の熱硬化性樹脂、あるいはＰＰＳ樹脂等の熱可塑性樹脂を用いることができる。なお、図１および図３において、便宜上、封止樹脂部２３を透明なものとして表示しているが、黒色等の不透明なものが用いられても良い。
【００４０】
半導体装置の製造方法
次に、図１乃至図４に示す半導体装置２０の製造方法について、図５（ａ）−（ｄ）および図６（ａ）−（ｆ）を用いて説明する。なお、以下においては、１枚の基板１１を用いて複数の半導体装置２０を製造する工程について説明するが、これに限らず、１枚の基板１１を用いて１つの半導体装置２０のみを製造することも可能である。
【００４１】
まず図５（ａ）に示すように、平板状の基板１１を準備する。この基板１１としては、例えば銅、銅合金、シリコン等からなる基板を使用することができる。
【００４２】
次に、基板１１の表面に感光性レジストを塗布、乾燥し、これを所望のフォトマスクを介して露光した後、現像することにより、所望のパターンを有するめっき用レジスト層３０を形成する（図５（ｂ））。なお感光性レジストとしては、従来公知のものを使用することができる。
【００４３】
この際、めっき用レジスト層３０には、半導体素子用めっき部１５およびリード用めっき部１６の形成部位に対応する箇所に、それぞれ開口部３０ａ、３０ｂが形成され、この開口部３０ａ、３０ｂからは基板１１が露出している。このめっき用レジスト層３０の厚さは、形成しようとする半導体素子用めっき部１５およびリード用めっき部１６の厚さと同一か、またはそれより厚くすることが好ましい。
【００４４】
次いで、基板１１の裏面側を裏面テープ３９で覆って、めっき用レジスト層３０に覆われた基板１１の表面に電解めっきを施す（図５（ｃ））。これにより基板１１のうちめっき用レジスト層３０に覆われていない開口部３０ａ、３０ｂに金属（例えば銀）を析出させて、基板１１上に半導体素子用めっき部１５およびリード用めっき部１６を形成する。
【００４５】
半導体素子用めっき部１５およびリード用めっき部１６が多層構造からなる場合、基板１１上に、複数の層、例えばＡｕめっき層、Ｎｉめっき層、およびＡｕめっき層を順次積層する。なお、半導体素子用めっき部１５およびリード用めっき部１６の厚みは、例えば０．５μｍ〜６０μｍとすることが好ましい。
【００４６】
続いて、めっき用レジスト層３０を除去する。この場合、例えばレジスト剥離液を用いることにより、めっき用レジスト層３０を剥離除去することができる。さらに、基板１１の裏面から裏面テープ３９を除去する（図５（ｄ））。
【００４７】
このようにして、基板１１の表面側に、半導体素子用めっき部１５と、半導体素子用めっき部１５周囲に配置され、平面から見て１つの円周Ｃ１上に配置されるリード用めっき部１６とが形成される（図５（ｄ））。
【００４８】
次に、基板１１の半導体素子用めっき部１５上に、半導体素子２１を搭載する。この場合、例えばダイボンディングペーストを用いて、半導体素子２１を半導体素子用めっき部１５上に載置して固定する（ダイアタッチ工程）（図６（ａ））。
【００４９】
次に、半導体素子２１の各端子部２１ａと、リード用めっき部１６とを、ボンディングワイヤ２２によって互いに電気的に接続する（ワイヤボンディング工程）（図６（ｂ））。
【００５０】
次に、図示しない金型を用いて、基板１１に対して熱硬化性樹脂または熱可塑性樹脂を射出成形またはトランスファ成形することにより、封止樹脂部２３を形成する（図６（ｃ））。これにより、基板１１の表面側、半導体素子２１、およびボンディングワイヤ２２を封止する。
【００５１】
続いて、裏面側の基板１１を除去する（図６（ｄ））。具体的には、基板１１が銅からなる場合、例えば塩化アンモニウム系のエッチング液を用いて、基板１１を選択的にエッチング除去する。なお、基板１１を物理的に剥離除去しても良い。
【００５２】
次に、半導体装置２０の外縁となる部分をダイシングすることにより、封止樹脂部２３を各半導体素子２１毎に分離する（図６（ｆ））。この際、まず封止樹脂部２３をダイシングテープ３７上に載置して固定し、その後、例えばダイヤモンド砥石からなるブレード３８を回転させながら、各半導体素子２１間の封止樹脂部２３を切断する。
【００５３】
このようにして、図１乃至図４に示す半導体装置２０を得ることができる（図６（ｆ））。
【００５４】
本実施の形態の作用効果
次にこのような構成からなる本実施の形態の作用について、図７を用いて説明する。図７は、本実施の形態による半導体装置が実装基板上に実装されている状態を示す断面図である。
【００５５】
すなわち図７に示すように、本実施の形態による半導体装置２０は、実装基板４５上に配置して実装される。この場合、半導体装置２０は、リード用めっき部１６の外部端子１８に設けられたはんだ部４１と、半導体素子用めっき部１５の裏面１５ｂに設けられたはんだ部４２とにより、実装基板４５に対して固定実装される。なお、実装基板４５は、主としてガラスエポキシ樹脂からなっている。
【００５６】
ところで、半導体装置２０には、実装基板４５にはんだにより実装する際、あるいは実装基板４５に実装された後の使用環境により、様々な熱が加わることが考えられる。この場合、半導体装置２０全体の熱膨張係数が実装基板４５の熱膨張係数と異なると、半導体装置２０と実装基板４５との熱膨張率の違いによって熱応力が生じる。この結果、とりわけ半導体装置２０と実装基板４５との間に位置するはんだ部４１およびはんだ部４２が破損してしまうおそれがある。
【００５７】
一般に、封止樹脂部２３の熱膨張係数は、実装基板４５の熱膨張係数より小さい。一例として、（これに限定されるものではないが）、主としてガラスエポキシ樹脂からなる実装基板４５およびエポキシ樹脂からなる封止樹脂部２３の熱膨張係数は、それぞれ約１６×１０−６（／Ｋ）および約１０×１０−６（／Ｋ）である。またＳｉからなる半導体素子２１の熱膨張係数は、約３．５×１０−６（／Ｋ）である。
【００５８】
したがって、半導体装置２０のうち、相対的に大きな割合を占める封止樹脂部２３の影響により、半導体装置２０全体の熱膨張係数は、実装基板４５の熱膨張係数から乖離する傾向がある。
【００５９】
本実施の形態によれば、複数のリード用めっき部１６の外部端子１８は、平面から見て１つの円周Ｃ１上に配置されている。したがって、半導体装置２０と実装基板４５との熱膨張の相違により生じる熱応力は、各外部端子１８に設けられたはんだ部４１に対して均等に加わるようになっており、特定のはんだ部４１が破損することを防止することができる。
【００６０】
また本実施の形態によれば、半導体素子用めっき部１５の裏面１５ｂは、封止樹脂部２３から外方に露出しているので、この裏面１５ｂ全体にはんだ部４２を設けることにより、半導体素子用めっき部１５を実装基板４５に取り付けることができる。さらに、半導体素子２１からの熱を半導体素子用めっき部１５の裏面１５ｂから放熱することができる。
【００６１】
さらに本実施の形態において、半導体素子用めっき部１５を円形状（円盤状）とした場合、半導体装置２０に熱が加わった際、半導体装置２０と実装基板４５との熱膨張係数の相違による熱応力は、周方向均一に分散する。したがって、半導体素子用めっき部１５の裏面１５ｂに設けられたはんだ部４２のうち特定の部分に熱応力が集中することがなく、はんだ部４２の破損を防止することができる。
【００６２】
とりわけ半導体素子用めっき部１５は、半導体装置２０の中心に設けられており、かつ半導体装置２０全体の面積に占める割合が大きいので、はんだ部４２を用いて半導体素子用めっき部１５と実装基板４５とをしっかりと連結することができる。このように、半導体装置２０の中心部で半導体素子用めっき部１５を実装基板４５に対して強固に連結しているので、半導体装置２０に熱応力が加わった場合でも、半導体素子用めっき部１５周囲に設けられた外部端子１８に与える熱ストレスの影響を軽減することができる。
【００６３】
さらに本実施の形態によれば、半導体素子用めっき部１５およびリード用めっき部１６はめっきにより薄く形成されているので、リードフレームを用いておらず、装置全体の薄型化を図ることができる。
【００６４】
半導体装置の変形例
次に、図８乃至図３９により、本発明による半導体装置の各種変形例について説明する。図８乃至図３９において、図１乃至図７に示す実施の形態と同一部分には同一の符号を付して詳細な説明は省略する。
【００６５】
（変形例１）
図８および図９は、本実施の形態の一変形例による半導体装置２０Ａを示している。すなわち図８は、半導体装置２０Ａの平面図（図３に対応する図）であり、図９は、半導体装置２０Ａの裏面図（図４に対応する図）である。
【００６６】
図８および図９に示す半導体装置２０Ａ（変形例１）において、図１乃至図７に示す実施の形態と異なり、封止樹脂部２３の４つの角部に、それぞれ平面略卵形状の外部端子７１（追加の外部端子）が配置されている。各外部端子７１は、半導体装置２０Ａの裏面側に露出しており、半導体素子用めっき部１５およびリード用めっき部１６と同一平面上に位置している。また各外部端子７１は、それぞれ外部端子１８より面積が広く、かつ半導体素子用めっき部１５側に向けて徐々に先細となっている。
【００６７】
このような外部端子７１は、例えばグランド（ＧＮＤ）端子として用いることができる。また、このような比較的大型の外部端子７１を用いることにより、半導体装置２０Ａを実装基板４５に実装する際、はんだ部４１を用いて外部端子７１を実装基板４５に対して強固に連結することができ、半導体装置２０Ａに熱ストレスが加わった際の実装信頼性を更に向上させることができる。なお上述した外部端子７１は、素子等との電気的な接続に用いず、半導体装置２０Ａの実装信頼性を向上させるアンカー部材としても利用可能である。
【００６８】
なお、外部端子７１は封止樹脂部２３の４つの角部全てに設ける必要はなく、その一部の角部のみに設けても良い。
【００６９】
（変形例２）
図１０および図１１は、本実施の形態の一変形例による半導体装置２０Ｂを示している。すなわち図１０は、半導体装置２０Ｂの平面図（図３に対応する図）であり、図１１は、半導体装置２０Ｂの裏面図（図４に対応する図）である。
【００７０】
図１０および図１１に示す半導体装置２０Ｂ（変形例２）において、図１乃至図７に示す実施の形態と異なり、封止樹脂部２３は円柱形状を有している。この場合、封止樹脂部２３の外面を構成する円と、円周Ｃ１とは、互いに同心円からなっている。
【００７１】
このような半導体装置２０Ｂを製造する場合、封止樹脂部２３を形成する工程（図６（ｃ）参照）において、円柱形状の金型を用いることにより、このような円柱状の封止樹脂部２３を作製することができる。
【００７２】
この場合、封止樹脂部２３が平面から見て円形状からなっているので、半導体装置２０Ｂに熱が加わった際、半導体装置２０Ｂと実装基板４５との熱膨張係数の相違による熱応力を周方向均一に分散させることができ、半導体装置２０Ｂの実装信頼性を更に向上させることができる。
【００７３】
（変形例３）
図１２乃至図１４は、本実施の形態の一変形例による半導体装置２０Ｃを示している。
すなわち図１２は、半導体装置２０Ｃの断面図（図２に対応する図）であり、図１３は、半導体装置２０Ｃの平面図（図３に対応する図）であり、図１４は、半導体装置２０Ｃの裏面図（図４に対応する図）である。
【００７４】
図１２乃至図１４に示す半導体装置２０Ｃ（変形例３）において、図１乃至図７に示す実施の形態と異なり、各リード用めっき部１６は、平面から見て複数（２つ）の円周Ｃ１およびＣ２のうちいずれかの円周上に配置されている。
【００７５】
すなわち図１３に示すように、各リード用めっき部１６の内部端子１７は、２つの円周Ｃ１およびＣ２のうちいずれか一方の円周上に配置されており、かつ千鳥状に配列されている。円周Ｃ１およびＣ２は、互いに同心円の関係にあり、その径は円周Ｃ１の方が大きい。
【００７６】
同様に、図１４に示す半導体装置２０Ｃの裏面において、各リード用めっき部１６の外部端子１８は、２つの円周Ｃ１およびＣ２のうちいずれか一方の円周上に配置されており、かつ千鳥状に配列されている。
【００７７】
なお、内部端子１７および外部端子１８の面積および形状は、それらが配置されている円周毎に異ならせても良い。
【００７８】
このように各リード用めっき部１６を複数の円周Ｃ１およびＣ２上に配置したことにより、半導体装置２０Ｃに熱ストレスが加わった際の実装信頼性を向上させることができるとともに、半導体装置２０Ｃの裏面において外部端子１８を効率良く配置することができ、半導体素子２１の多ピン化に対応することができる。
【００７９】
（変形例４）
図１５および図１６は、本実施の形態の一変形例による半導体装置２０Ｄを示している。すなわち図１５は、半導体装置２０Ｄの平面図（図３に対応する図）であり、図１６は、半導体装置２０Ｄの裏面図（図４に対応する図）である。
【００８０】
図１５および図１６に示す半導体装置２０Ｄ（変形例４）は、図８および図９に示す変形例１と、図１２乃至図１４に示す変形例３とを組合せたものである。
【００８１】
すなわち、図１５および図１６に示す半導体装置２０Ｄにおいて、封止樹脂部２３の４つの角部に、それぞれ平面略卵形状の外部端子７１（追加の外部端子）が配置されている。また、各リード用めっき部１６は、平面から見て２つの円周Ｃ１およびＣ２のうちいずれかの円周上に配置されている。なお上述した外部端子７１は、素子等との電気的な接続に用いず、半導体装置２０Ａの実装信頼性を向上させるアンカー部材としても利用可能である。
【００８２】
（変形例５）
図１７および図１８は、本実施の形態の一変形例による半導体装置２０Ｅを示している。すなわち図１７は、半導体装置２０Ｅの平面図（図３に対応する図）であり、図１８は、半導体装置２０Ｅの裏面図（図４に対応する図）である。
【００８３】
図１７および図１８に示す半導体装置２０Ｅ（変形例５）は、図１０および図１１に示す変形例２と、図１２乃至図１４に示す変形例３とを組合せたものである。
【００８４】
すなわち、図１７および図１８に示す半導体装置２０Ｅにおいて、封止樹脂部２３は、円柱形状を有している。また、各リード用めっき部１６は、平面から見て２つの円周Ｃ１およびＣ２のうちいずれかの円周上に配置されている。
【００８５】
（変形例６）
図１９乃至図２１は、本実施の形態の一変形例による半導体装置２０Ｆを示している。
すなわち図１９は、半導体装置２０Ｆの断面図（図２に対応する図）であり、図２０は、半導体装置２０Ｆの平面図（図３に対応する図）であり、図２１は、半導体装置２０Ｆの裏面図（図４に対応する図）である。
【００８６】
図１９乃至図２１に示す半導体装置２０Ｆ（変形例６）において、図１乃至図７に示す実施の形態と異なり、各リード用めっき部１６は、平面から見て複数（３つ）の円周Ｃ１、Ｃ２およびＣ３のうちいずれかの円周上に配置されている。
【００８７】
すなわち図２０に示すように、各リード用めっき部１６の内部端子１７は、３つの円周Ｃ１、Ｃ２およびＣ３のうちいずれかの円周上に配置されており、かつ千鳥状に配列されている。円周Ｃ１、Ｃ２およびＣ３は、互いに同心円の関係にあり、その径は円周Ｃ３、Ｃ２、Ｃ１という順に大きくなっている。
【００８８】
同様に、図２１に示す半導体装置２０Ｆの裏面において、各リード用めっき部１６の外部端子１８は、３つの円周Ｃ１、Ｃ２およびＣ３のうちいずれかの円周上に配置されており、かつ千鳥状に配列されている。
【００８９】
なお、内部端子１７および外部端子１８を４つ以上の円周上に配置することも考えられる。また、内部端子１７および外部端子１８の面積および形状は、それらが配置されている円周毎に異ならせても良い。
【００９０】
このように各リード用めっき部１６を複数の円周Ｃ１、Ｃ２およびＣ３上に配置したことにより、半導体装置２０Ｆに熱ストレスが加わった際の実装信頼性を向上させることができるとともに、半導体装置２０Ｆの裏面において外部端子１８を効率良く配置することができ、半導体素子２１の多ピン化に対応することができる。
【００９１】
（変形例７）
図２２および図２３は、本実施の形態の一変形例による半導体装置２０Ｇを示している。すなわち図２２は、半導体装置２０Ｇの平面図（図３に対応する図）であり、図２３は、半導体装置２０Ｇの裏面図（図４に対応する図）である。
【００９２】
図２２および図２３に示す半導体装置２０Ｇ（変形例７）は、図８および図９に示す変形例１と、図１９乃至図２１に示す変形例６とを組合せたものである。
【００９３】
すなわち、図２２および図２３に示す半導体装置２０Ｇにおいて、封止樹脂部２３の４つの角部に、それぞれ平面略卵形状の外部端子７１（追加の外部端子）が配置されている。また、各リード用めっき部１６は、平面から見て３つの円周Ｃ１、Ｃ２およびＣ３のうちいずれかの円周上に配置されている。なお上述した外部端子７１は、素子等との電気的な接続に用いず、半導体装置２０Ａの実装信頼性を向上させるアンカー部材としても利用可能である。
【００９４】
（変形例８）
図２４および図２５は、本実施の形態の一変形例による半導体装置２０Ｈを示している。すなわち図２４は、半導体装置２０Ｈの平面図（図３に対応する図）であり、図２５は、半導体装置２０Ｈの裏面図（図４に対応する図）である。
【００９５】
図２４および図２５に示す半導体装置２０Ｈ（変形例８）は、図１０および図１１に示す変形例２と、図１９乃至図２１に示す変形例６とを組合せたものである。
【００９６】
すなわち、図２４および図２５に示す半導体装置２０Ｈにおいて、封止樹脂部２３は、円柱形状を有している。また、各リード用めっき部１６は、平面から見て３つの円周Ｃ１、Ｃ２およびＣ３のうちいずれかの円周上に配置されている。
【００９７】
（変形例９）
図２６および図２７は、本実施の形態の一変形例による半導体装置２０Ｉを示している。すなわち図２６は、半導体装置２０Ｉの平面図（図３に対応する図）であり、図２７は、半導体装置２０Ｉの裏面図（図４に対応する図）である。
【００９８】
図２６および図２７に示す半導体装置２０Ｉ（変形例９）は、図１２乃至図１４に示す半導体装置２０Ｃ（変形例３）において、各リード用めっき部１６を平面円形状としたものである。
【００９９】
なお、他の半導体装置（図１乃至図４、図８乃至図１１、図１５乃至図３０）についても、各リード用めっき部１６を平面円形状としても良い。
【０１００】
（変形例１０）
図２８は、本実施の形態の一変形例による半導体装置２０Ｊを示している。すなわち図２８は、半導体装置２０Ｊの断面図（図２に対応する図）である。
【０１０１】
図２８に示す半導体装置２０Ｊ（変形例１０）において、図１乃至図７に示す実施の形態と異なり、封止樹脂部２３は、半導体素子２１および半導体素子２１周囲に設けられた中央領域２４と、中央領域２４周縁に位置する周縁領域２５とを有しており、中央領域２４の厚みは、周縁領域２５の厚みより厚くなっている。
【０１０２】
この場合、封止樹脂部２３の中央領域２４は、截頭円錐形状からなっており、中央領域２４の側面はテーパー形状となっている。また、周縁領域２５は、平面矩形形状からなっていてもよく、平面円形状または平面多角形形状からなっていても良い。なお、中央領域２４の形状は、截頭円錐形状に限らず、例えば円柱形状、ドーム形状または截頭多角錐形状としても良い。
【０１０３】
このような半導体装置２０Ｊを製造する場合、封止樹脂部２３を形成する工程（図６（ｃ）参照）において、截頭円錐形状の金型を用いることにより、このような截頭円錐形状の封止樹脂部２３を作製することができる。
【０１０４】
このほかの構成は、図１乃至図７に示す実施の形態と略同一である。
【０１０５】
このように、封止樹脂部２３の中央領域２４の厚みを周縁領域２５より厚くすることにより、熱膨張係数が相対的に低い封止樹脂部２３の体積を減らしている。このことにより、半導体装置２０全体の熱膨張係数を実装基板４５の熱膨張係数に近づけることができるので、半導体装置２０に熱が加わった際の熱応力を軽減し、実装信頼性を向上させることができる。また、中央領域２４を厚くし、周縁領域２５を薄くしたことにより、封止樹脂部２３が熱収縮したときのそり低減を図ることができる。
【０１０６】
なお、図８乃至図１１に示す変形例１または２と、図２８に示す変形例１０とを組合せることも可能である。
【０１０７】
（変形例１１）
図２９は、本実施の形態の一変形例による半導体装置２０Ｋを示している。すなわち図２９は、半導体装置２０Ｋの断面図（図２に対応する図）である。
【０１０８】
図２９に示す半導体装置２０Ｋ（変形例１１）は、図１２乃至図１４に示す変形例３と、図２８に示す変形例１０とを組合せたものである。
【０１０９】
すなわち、図２９に示す半導体装置２０Ｋにおいて、中央領域２４の厚みは、周縁領域２５の厚みより厚くなっている。また、各リード用めっき部１６は、平面から見て２つの円周Ｃ１およびＣ２のうちいずれかの円周上に配置されている。
【０１１０】
なお、図１５乃至図１８に示す変形例４または５と、図２８に示す変形例１０とを組合せることも可能である。
【０１１１】
（変形例１２）
図３０は、本実施の形態の一変形例による半導体装置２０Ｌを示している。すなわち図３０は、半導体装置２０Ｌの断面図（図２に対応する図）である。
【０１１２】
図３０に示す半導体装置２０Ｌ（変形例１２）は、図１９乃至図２１に示す変形例６と、図２８に示す変形例１０とを組合せたものである。
【０１１３】
すなわち、図３０に示す半導体装置２０Ｌにおいて、中央領域２４の厚みは、周縁領域２５の厚みより厚くなっている。また、各リード用めっき部１６は、平面から見て３つの円周Ｃ１、Ｃ２およびＣ３のうちいずれかの円周上に配置されている。
【０１１４】
なお、図２２乃至図２５に示す変形例７または８と、図２８に示す変形例１０とを組合せることも可能である。
【０１１５】
（変形例１３）
図３１は、本実施の形態の一変形例による半導体装置２０Ｍを示している。図３１は、半導体装置２０Ｍの断面図（図２に対応する図）である。
【０１１６】
図３１に示す半導体装置２０Ｍ（変形例１３）において、図１乃至図７に示す実施の形態と異なり、封止樹脂部２３の断面形状は、台形形状を有している。このような半導体装置２０Ｍを製造する場合、封止樹脂部２３を形成する工程（図６（ｃ）参照）において、各半導体装置２０Ｍに対応する個々の金型を用いることにより、このような形状の封止樹脂部２３を作製することができる（個別モールドタイプ）。
【０１１７】
このように、封止樹脂部２３の断面形状を台形形状にすることにより、熱膨張係数が相対的に低い封止樹脂部２３の体積を減らしている。このことにより、半導体装置２０Ｍ全体の熱膨張係数を実装基板４５（図７参照）の熱膨張係数に近づけることができるので、半導体装置２０Ｍに熱が加わった際の熱応力を軽減し、実装信頼性を向上させることができる。
【０１１８】
（変形例１４）
図３２および図３３は、本実施の形態の一変形例による半導体装置２０Ｎを示している。すなわち図３２は、半導体装置２０Ｎの平面図（図３に対応する図）であり、図３３は、半導体装置２０Ｎの裏面図（図４に対応する図）である。
【０１１９】
図３２および図３３に示す半導体装置２０Ｎ（変形例１４）は、図８および図９に示す変形例１において、外部端子７１（追加の外部端子）を、封止樹脂部２３の４つの角部側から、各リード用めっき部１６が配置された円周Ｃ１上まで径方向内側に延ばしたものである。
【０１２０】
このように、外部端子７１（追加の外部端子）がリード用めっき部１６近傍まで延びていることにより、リード用めっき部１６に対する実装ストレスをさらに緩和することができる。
【０１２１】
（変形例１５）
図３４および図３５は、本実施の形態の一変形例による半導体装置２０Ｐを示している。すなわち図３４は、半導体装置２０Ｐの平面図（図３に対応する図）であり、図３５は、半導体装置２０Ｐの裏面図（図４に対応する図）である。
【０１２２】
図３４および図３５に示す半導体装置２０Ｐ（変形例１５）は、図１５および図１６に示す変形例４において、外部端子７１（追加の外部端子）を、封止樹脂部２３の４つの角部側から、各リード用めっき部１６が配置された円周のうち最も内側の円周Ｃ２上まで径方向内側に延ばしたものである。
【０１２３】
このように、外部端子７１（追加の外部端子）がリード用めっき部１６近傍まで延びていることにより、リード用めっき部１６に対する実装ストレスをさらに緩和することができる。
【０１２４】
（変形例１６）
図３６および図３７は、本実施の形態の一変形例による半導体装置２０Ｑを示している。すなわち図３６は、半導体装置２０Ｑの平面図（図３に対応する図）であり、図３７は、半導体装置２０Ｑの裏面図（図４に対応する図）である。
【０１２５】
図３６および図３７に示す半導体装置２０Ｑ（変形例１６）は、図２２および図２３に示す変形例７において、外部端子７１（追加の外部端子）を、封止樹脂部２３の４つの角部側から、各リード用めっき部１６が配置された円周のうち最も内側の円周Ｃ３上まで径方向内側に延ばしたものである。
【０１２６】
このように、外部端子７１（追加の外部端子）がリード用めっき部１６近傍まで延びていることにより、リード用めっき部１６に対する実装ストレスをさらに緩和することができる。
【０１２７】
（変形例１７）
図３８および図３９は、本実施の形態の一変形例による半導体装置２０Ｒを示している。すなわち図３８は、半導体装置２０Ｒの平面図（図３に対応する図）であり、図３９は、半導体装置２０Ｒの断面図（図２に対応する図）である。
【０１２８】
図３８および図３９に示す半導体装置２０Ｒ（変形例１７）において、複数のリード用めっき部１６のうち少なくとも１つの上面に、外部突出端子６５が形成されている。外部突出端子６５は、封止樹脂部２３に形成された開口部２３ａから露出し形成され、半導体装置２０Ｒの上面からの接続を可能としている。なお外部突出端子６５には、はんだやＡｇペーストなど一般的な接続材を用いることが可能である。
【０１２９】
このように、外部突出端子６５がリード用めっき部１６の上面に形成されることにより、図３９に示すように、下方の半導体装置２０Ｒの外部突出端子６５を、上方の半導体装置２０Ｒの外部端子１８に接続することができる。これにより、複数の半導体装置２０Ｒを上下に積層することが可能となる。
【０１３０】
上記実施の形態および変形例に開示されている複数の構成要素を必要に応じて適宜組合せることも可能である。あるいは、上記実施の形態および変形例に示される全構成要素から幾つかの構成要素を削除してもよい。
【符号の説明】
【０１３１】
１５        半導体素子用めっき部
１６        リード用めっき部
１７        内部端子
１８        外部端子
２０、２０Ａ〜２０Ｒ  半導体装置
２１        半導体素子
２２        ボンディングワイヤ（導電部）
２３        封止樹脂部
４５        実装基板
【図１】
2015092635.tif 000003
【図２】
2015092635.tif 000004
【図３】
2015092635.tif 000005
【図４】
2015092635.tif 000006
【図５】
2015092635.tif 000007
【図６】
2015092635.tif 000008
【図７】
2015092635.tif 000009
【図８】
2015092635.tif 000010
【図９】
2015092635.tif 000011
【図１０】
2015092635.tif 000012
【図１１】
2015092635.tif 000013
【図１２】
2015092635.tif 000014
【図１３】
2015092635.tif 000015
【図１４】
2015092635.tif 000016
【図１５】
2015092635.tif 000017
【図１６】
2015092635.tif 000018
【図１７】
2015092635.tif 000019
【図１８】
2015092635.tif 000020
【図１９】
2015092635.tif 000021
【図２０】
2015092635.tif 000022
【図２１】
2015092635.tif 000023
【図２２】
2015092635.tif 000024
【図２３】
2015092635.tif 000025
【図２４】
2015092635.tif 000026
【図２５】
2015092635.tif 000027
【図２６】
2015092635.tif 000028
【図２７】
2015092635.tif 000029
【図２８】
2015092635.tif 000030
【図２９】
2015092635.tif 000031
【図３０】
2015092635.tif 000032
【図３１】
2015092635.tif 000033
【図３２】
2015092635.tif 000034
【図３３】
2015092635.tif 000035
【図３４】
2015092635.tif 000036
【図３５】
2015092635.tif 000037
【図３６】
2015092635.tif 000038
【図３７】
2015092635.tif 000039
【図３８】
2015092635.tif 000040
【図３９】
2015092635.tif 000041
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
半導体装置において、
半導体素子と、
半導体素子が載置された半導体素子用めっき部と、
半導体素子用めっき部の周囲に、半導体素子用めっき部と同一平面上に配置された複数のリード用めっき部と、
リード用めっき部と半導体素子とを電気的に接続する導電部と、
半導体素子用めっき部、リード用めっき部、半導体素子および導電部を封止する封止樹脂部とを備え、
各リード用めっき部は、半導体素子用めっき部の周囲において平面から見て互いに同心円の関係にある複数の円周のうちいずれかの円周上に配置され、前記複数のリード用めっき部が千鳥状に配置されていることを特徴とする半導体装置。
【請求項２】
半導体装置において、
半導体素子と、
半導体素子が載置された半導体素子用めっき部と、
半導体素子用めっき部の周囲に、半導体素子用めっき部と同一平面上に配置された複数のリード用めっき部と、
リード用めっき部と半導体素子とを電気的に接続する導電部と、
半導体素子用めっき部、リード用めっき部、半導体素子および導電部を封止する封止樹脂部とを備え、
各リード用めっき部は、半導体素子用めっき部の周囲において平面から見て少なくとも１つの円周上に配置され、
前記半導体素子用めっき部の裏面が円形状であり、かつ前記封止樹脂部から外方に露出することを特徴とする半導体装置。
【請求項３】
各リード用めっき部は、平面から見て複数の円周のうちいずれかの円周上に配置されていることを特徴とする請求項２記載の半導体装置。
【請求項４】
封止樹脂部は、直方体形状を有していることを特徴とする請求項１乃至３のいずれか一項記載の半導体装置。
【請求項５】
封止樹脂部は、円柱形状を有していることを特徴とする請求項１乃至３のいずれか一項記載の半導体装置。
【請求項６】
封止樹脂部の断面形状は、台形形状を有していることを特徴とする請求項１乃至３のいずれか一項記載の半導体装置。
【請求項７】
封止樹脂部は、半導体素子および半導体素子周囲に設けられた中央領域と、中央領域周縁に位置する周縁領域とを有し、中央領域の厚みは、周縁領域の厚みより厚いことを特徴とする請求項１乃至６のいずれか一項記載の半導体装置。
【請求項８】
封止樹脂部の中央領域は、截頭円錐形状からなることを特徴とする請求項７記載の半導体装置。
【請求項９】
少なくとも１つのリード用めっき部の上面に、他の半導体装置の裏面に接続可能な外部突出端子が形成されていることを特徴とする請求項１乃至８のいずれか一項記載の半導体装置。
【請求項１０】
半導体装置の製造方法において、
基板を準備する工程と、
基板にめっきを施すことにより、基板上に、半導体素子用めっき部と、半導体素子用めっき部周囲に配置され、平面から見て互いに同心円の関係にある複数の円周上に配置される複数のリード用めっき部とを形成する工程と、
基板上の半導体素子用めっき部に、半導体素子を載置する工程と、
半導体素子と基板上のリード用めっき部とを、導電部により接続する工程と、
半導体素子用めっき部、リード用めっき部、半導体素子、および導電部を封止樹脂部により封止する工程と、
基板を封止樹脂部から除去する工程とを備え、
前記複数のリード用めっき部が千鳥状に配置されていることを特徴とする半導体装置の製造方法。
【請求項１１】
半導体装置の製造方法において、
基板を準備する工程と、
基板にめっきを施すことにより、基板上に、半導体素子用めっき部と、半導体素子用めっき部周囲に配置され、平面から見て少なくとも１つの円周上に配置されるリード用めっき部とを形成する工程と、
基板上の半導体素子用めっき部に、半導体素子を載置する工程と、
半導体素子と基板上のリード用めっき部とを、導電部により接続する工程と、
半導体素子用めっき部、リード用めっき部、半導体素子、および導電部を封止樹脂部により封止する工程と、
基板を封止樹脂部から除去する工程とを備え、
前記半導体素子用めっき部の裏面が円形状であり、かつ前記封止樹脂部から外方に露出することを特徴とする半導体装置の製造方法。